(57)【要約】【課題】比較的単純な構造を有し、小さな力で缶の蓋を開けることができる缶開け器具を提供する。【解決手段】本発明は、缶の蓋を開けるための缶開け器具であって、一端に、缶のプルリングに差し込み可能で、プルリングを引っ掛けるフック部を有するプルリング挿入部と、他端に、先端でプルリングを保持して押し上げるプルリング押上部と、プルリング挿入部と、プルリング押上部との間に存在し、Ｖ字形状を有する弾性部とを備えている。プルリング押上部と弾性部とが、連結している部分から互いに離れる形状に形成されている。【選択図】図１
2019031310.tif 000002
【特許請求の範囲】
【請求項１】
缶の蓋を開けるための缶開け器具であって、
一端に、缶のプルリングに差し込み可能で、プルリングを引っ掛けるフック部を有するプルリング挿入部と、
他端に、先端でプルリングを保持して押し上げるプルリング押上部と、
前記プルリング挿入部と、前記プルリング押上部との間に存在し、Ｖ字形状を有する弾性部と
を備え、
前記プルリング押上部と前記弾性部とが、連結している部分から互いに離れる形状に形成されていることを特徴とする缶開け器具。
【請求項２】
前記缶開け器具が弾性を有する材料で一体成型されていることを特徴とする請求項１に記載の缶開け器具。
【請求項３】
前記プルリング押上部の中途に屈曲部が存在することを特徴とする請求項１又は２に記載の缶開け器具。
【請求項４】
前記プルリング押上部は、湾曲形状を有することを特徴とする請求項１又は２に記載の缶開け器具。
【請求項５】
前記屈曲部は、前記プルリング押上部によりプルリングが押し上げられた時点で、缶の蓋の内側において蓋に接する位置に形成されていることを特徴とする請求項３に記載の缶開け器具。
【請求項６】
前記プルリングの長さと、前記プルリング押上部の先端から前記屈曲部までの長さの和が、設置されたプルリングの長手方向の長さよりも短いことを特徴とする請求項３又は５に記載の缶開け器具。
【発明の詳細な説明】
【技術分野】
【０００１】
本発明は、缶の蓋を開けるための缶開け器具に関する。さらに詳細には、本発明は、缶の蓋に設けられたプルリングを利用して、缶の蓋を開ける操作を補助するための缶開け器具に関する。
【背景技術】
【０００２】
缶は、食品を長期保存するための容器として、広く使用されている。缶を開缶するには、蓋を缶本体から切り離すために缶切り等の道具が必要である。
【０００３】
このような缶を開缶する面倒を改善するため、缶切りを使わずに開缶することができる缶（イージーオープン缶とも称される）が開発された。イージーオープン缶は、缶の蓋にプルリングが取り付けられている。プルリングの穴に指を引っかけ、プルリングを蓋に対して上に起こし、持ち上げることにより、蓋の一部が開口する。
【０００４】
蓋の最終的な開口形態は、缶の内容物に応じて、各種存在する。例えば、缶の内容物が液体である場合、多くは、蓋の一部が開口して開口部を形成する缶（パーシャルオープン型とも称される）が使用される。一方、缶の内容物が固形物である場合、内容物の取り出しやすさという観点で、蓋全体が缶本体から外れて缶の上部に大きな開口部を形成する缶（フルオープン型とも称される）が使用される。フルオープン型の缶は、蓋全体を缶本体から外さなければならないので、蓋を開けるのにパーシャルオープン型の缶よりも大きな力が必要となる。フルオープン型の缶の場合、プルリングの穴に指を引っかけ、プルリングを蓋に対して上に起こした後、プルリングの穴に指を引っかけたまま、力を加えてプルリングを手前に引っ張ることにより、蓋全体を缶から外す。
【０００５】
イージーオープン缶の開発により、缶の開けにくさは大幅に改善された。しかし、プルリングの操作には、ある程度の指先の力が必要なため、幼児、女性、高齢者等の指先の力が弱い人、長爪、つけ爪等の理由で指先に力が入りにくい人にとっては、缶の開けにくさは依然として解消していない。
【０００６】
従来の缶開け器具として、例えば特許文献１には、プルリングに差し込み可能な差し込み舌片と、差し込み舌片の後方に配置されていて缶蓋上を転動可能な転動部と、手指で把持可能な把持部とを備えるフルオープンエンド缶オープナーが開示されている。
【０００７】
また、特許文献２には、プルトップ引掛け治具と、プルトップ引掛け治具に回動自在に取り付けられた蓋剥離板とで構成される缶詰めオープナーが開示されている。
【先行技術文献】
【特許文献】
【０００８】
【特許文献１】特開２００４−５９０９９号公報
【特許文献２】特開２０１６−９４２３７号公報
【発明の概要】
【発明が解決しようとする課題】
【０００９】
しかし、特許文献１に開示されている缶オープナーは、構造上、缶の蓋を開ける場合に、把持部を手指でしっかりと握りつつ缶オープナーを上方へ向けて回転させる必要がある。そのため、手指の力が弱い人や、力が入りにくい人にとっては、さらに小さな力で缶を開けることができる缶開け器具が必要となる。また、特許文献１に開示されている缶オープナーは、部材の数が多く、構造が複雑である。また、回転させる軌道も大きくなるため、力は加わりやすいが、缶オープナーにうまく力を加えることができないと、缶に力がかかりすぎて内容物がこぼれる等の問題が生じやすい。
【００１０】
本発明は斯かる事情に鑑みてなされたものであり、簡易な構造であるにもかかわらず、小さな力で缶の蓋を開けることができる缶開け器具を提供することを目的とする。
【課題を解決するための手段】
【００１１】
上記目的を達成するために、本発明に係る缶開け器具は、缶の蓋を開けるための缶開け器具であって、一端に、缶のプルリングに差し込み可能で、プルリングを引っ掛けるフック部を有するプルリング挿入部と、他端に、先端でプルリングを保持して押し上げるプルリング押上部と、前記プルリング挿入部と、前記プルリング押上部との間に存在し、Ｖ字形状を有する弾性部とを備え、前記プルリング押上部と前記弾性部とが、連結している部分から互いに離れる形状に形成されていることを特徴とする。
【００１２】
本発明では、プルリング押上部により、蓋を開くことが可能な位置までプルリングを押し上げることができるとともに、弾性部の弾性力により蓋を開く方向に付勢することができるので、手指の力が弱い人や、力が入りにくい人であっても、小さな力で缶の蓋を開けることが可能となる。
【００１３】
また、本発明に係る缶開け器具は、弾性を有する材料で一体成型されていることが好ましい。単純な構造となるので缶開け器具自体が壊れにくいからである。
【００１４】
また、本発明に係る缶開け器具は、前記プルリング押上部の中途に屈曲部が存在することが好ましい。屈曲部が梃子の支点となることから、より小さな力で缶の蓋を開けることができるからである。
【００１５】
また、本発明に係る缶開け器具は、前記プルリング押上部は、湾曲形状を有することが好ましい。湾曲している部分のどこの位置でも梃子の支点とすることができるので、缶の蓋の大きさに左右されずに、より小さな力で缶の蓋を開けることができるからである。
【００１６】
また、本発明に係る缶開け器具は、前記屈曲部は、前記プルリング押上部によりプルリングが押し上げられた時点で、缶の蓋の内側において蓋に接する位置に形成されていることが好ましい。屈曲部が確実に梃子の支点となることができるので、より小さな力で缶の蓋を開けることができるからである。
【００１７】
また、本発明に係る缶開け器具は、前記プルリングの長さと、前記プルリング押上部の先端から前記屈曲部までの長さの和が、設置されたプルリングの長手方向の長さよりも短いことが好ましい。屈曲部が確実に缶の蓋に接触するので、屈曲部が確実に梃子の支点となり、より小さな力で缶の蓋を開けることができるからである。
【発明の効果】
【００１８】
本発明によれば、プルリング押上部により蓋を開くことが可能な位置までプルリングを押し上げることができるとともに、弾性部の弾性力により蓋を開く方向に付勢することができるので、手指の力が弱い人や、力が入りにくい人であっても、小さな力で缶を開けることが可能となる。
【図面の簡単な説明】
【００１９】
【図１】本発明の実施の形態１に係る缶開け器具の構成を示す斜視図である。
【図２】本発明の実施の形態１に係る缶開け器具の構成を示す、缶開け器具の長手方向の横断面図である。
【図３】本発明の実施の形態１に係る缶開け器具のプルリング押上部の先端部分の形状の例を示す模式拡大図である。
【図４】本発明の実施の形態１に係る缶開け器具をプルリングに差し込む操作を説明する図である。
【図５】本発明の実施の形態１に係る缶開け器具をプルリングに差し込んだ後、プルリングを上に起こす操作を説明する図である。
【図６】本発明の実施の形態１に係る缶開け器具の缶の蓋を持ち上げる操作を説明する図である。
【図７】本発明の実施の形態１に係る缶開け器具の梃子の原理を示す図である。
【図８】本発明の実施の形態１に係る缶開け器具を用い、缶の蓋全体を缶本体から外す操作を説明する図である。
【図９】本発明の実施の形態１に係る缶開け器具のプルリング押上部の先端部分の形状の例示図である。
【図１０】本発明の実施の形態２に係る缶開け器具の断面図である。
【発明を実施するための形態】
【００２０】
以下、本発明をその実施の形態を示す図面に基づいて説明する。
【００２１】
（実施の形態１）
図１は、本発明の実施の形態１に係る缶開け器具１の構成を示す斜視図である。図２は、本発明の実施の形態１に係る缶開け器具１の構成を示す、缶開け器具１の長手方向の横断面図である。
【００２２】
図１及び図２において、缶開け器具１は、一端に、プルリング挿入部２と、他端に、プルリング押上部３と、プルリング挿入部２とプルリング押上部３との間に、断面形状がＶ字形状である弾性部４とを備える。プルリング挿入部２の先端部分は、缶のプルリングに差し込むことが可能で、しかもプルリングを引っ掛けてプルリングを保持できるフック部２１を有している。
【００２３】
図１の例では、プルリング挿入部２は、断面形状がＵ字状であるフック部２１を有している。もちろん、この形状に限定されるものではなく、断面形状がＶ字状であっても良いし、プルリングを引っ掛けることができる形状であれば特に限定されるものではない。
【００２４】
フック部２１にプルリングが引っ掛かることで保持されているプルリングは、以下に示すように缶開け器具１を蓋に対して上方に向けて回転させるにつれて、上方へと引き上げられる。このとき、プルリング押上部３は、先端部分でプルリングを保持しながら蓋に対して上方へ向けて回転するので、プルリングを押し上げる。プルリング挿入部２のフック部２１によるプルリングを引っ掛けて引き上げる力、及びプルリング押上部３によるプルリングを保持して押し上げる力の両方が作用するので、より簡単にプルリングを起き上がらせることができる。
【００２５】
図３は、本発明の実施の形態１に係る缶開け器具１のプルリング押上部３の先端部分の形状の例を示す模式拡大図である。プルリング押上部３は、先端部分でプルリングを保持し、プルリングを押し上げることが必要なため、プルリングの穴の内径より幅が大きい部分を有していなければならない。プルリング押上部３の先端部分の形状としては、円弧状、テーパー形状などが挙げられるが、プルリングを効率よく保持するために、先端部分が他の部分より細くなっていることが好ましい。例として、図３（ａ）は円弧状、図３（ｂ）は三角形の突出部を有する長方形状、図３（ｃ）は舌状の形状等が挙げられる。
【００２６】
弾性部４は、プルリング挿入部２とプルリング押上部３との間に存在し、横断面形状がＶ字形状を有している。弾性部４は、弾性を有する材料で作られている。そして、図１及び図２に示すように、プルリング押上部３と弾性部４とが、連結している部分から互いに離れる形状に形成されている。
【００２７】
缶開け器具１を使用する場合、プルリング挿入部２と弾性部４との間に指を差し込み、弾性部４の上側から、手で缶開け器具１を缶の蓋に押しつけるように力を加えつつ、缶開け器具１を図２における時計回りに回転させる。弾性部４の弾性力が、プルリング挿入部２とプルリング押上部３とをプルリングを持ち上げる方向、すなわち蓋を開く方向に付勢するため、より小さな力でプルリングを持ち上げることが可能となる。
【００２８】
図１及び図２の缶開け器具１は、弾性を有する材料で一体成型されている。缶開け器具１に使用可能な弾性を有する材料の例としては、一般的な缶開け器具１に用いられるような金属、プラスチックなどが挙げられる。缶開け器具１の強度及び耐久性の観点から、弾性を有する材料として、金属が用いられることが好ましい。なお、缶開け器具１は、弾性を有する材料で一体成型されていれば、強度が弱くなりがちな連結部分が存在せず、単純な構造で缶開け器具１自体が壊れにくいからである。
【００２９】
以下、本発明の缶開け器具１を用い、フルオープン型の缶の蓋を開ける操作について説明する。図４〜図６及び図８は、本発明の実施の形態１に係る缶開け器具１を用い、缶の蓋を開ける一連の操作を説明する図である。図４は、本発明の実施の形態１に係る缶開け器具１をプルリングに差し込む操作を説明する図である。図４に示すように、プルリング挿入部２と弾性部４との間に一方の手の指（利き手の指）を差し込んで缶開け器具１を保持しつつ、プルリング挿入部２の先端部分を缶のプルリングに差し込む。
【００３０】
次に、缶本体を他方の手で保持しつつ、缶開け器具１を、プルリング押上部３の一部が缶の蓋と接触するように置き、缶開け器具１を安定させる。
【００３１】
図５は、本発明の実施の形態１に係る缶開け器具１をプルリングに差し込んだ後、プルリングを上に起こす操作を説明する図である。図４の状態から、プルリング押上部３の一部を缶の蓋と接触させつつ、缶開け器具１を図２における時計回りに回転させる。回転すると同時に、プルリング挿入部２が缶の上方へと移動し、プルリング挿入部２のフック部２１がプルリングを引っ掛け、プルリングを持ち上げる。同時に、プルリング押上部３の先端部分によって、缶の蓋との接続部を支点としてプルリングが上方向に起こされる。
【００３２】
プルリング挿入部２のフック部２１によるプルリングの引き上げ力と、プルリング押上部３の先端部分でプルリングを保持してプルリングを押し上げる押し上げ力により、プルリングを安定して保持しつつ、従来の缶開け器具よりも小さな力で、プルリングを上方向に起こすことができる。また、上述のように、弾性部４の弾性力が、プルリング挿入部２とプルリング押上部３とをプルリングを持ち上げる方向に付勢するため、より小さな力でプルリングを上方向に起こすことができる。
【００３３】
図６は、本発明の実施の形態１に係る缶開け器具１の缶の蓋を持ち上げる操作を説明する図である。図５の状態から、プルリング押上部３の一部を缶の蓋と接触させつつ、缶開け器具１を図２における時計回りに回転させる。回転すると同時にプルリング挿入部２によってプルリングが持ち上げられ、それに伴って缶の蓋の一部が持ち上げられる。
【００３４】
図７は、本発明の実施の形態１に係る缶開け器具１の梃子の原理を示す図である。ユーザは、図７において缶開け器具１を時計回りに回転させる。このとき、缶開け器具１は缶の蓋（斜線部）へ押し付けられているので、屈曲部５が支点となって回転する。
【００３５】
また、缶のプルリングは、プルリング挿入部２のフック部２１に引っ掛けられている。そのまま、缶の蓋を引き上げるので、プルリングを引き上げる作用点はフック部２１（７２）となる。
【００３６】
したがって、梃子のレバーＬ１の方がレバーＬ２よりも長くなるようプルリング押上部３が缶の蓋と接触する点（屈曲部５が存在する場合には、屈曲部５）が支点となることで、力点７１に加えられた力よりも大きな力が作用点７２に加わり、より小さな力で缶の蓋を開けることができる。
【００３７】
図８は、本発明の実施の形態１に係る缶開け器具１を用い、缶の蓋全体を缶本体から外す操作を説明する図である。図６の状態から、プルリング押上部３の一部（屈曲部５）を缶の蓋と接触させつつ、缶開け器具１を図２における時計回りにさらに回転させる。回転させるとともに指で缶開け器具１自体を持ち上げると、缶の蓋が缶本体から外れる。図８の例では、缶の蓋は、大部分が缶本体から外れている。さらに缶開け器具１を図２における時計回りに回転させながらプルリングを引き上げ、缶の蓋全体を缶本体から外す。
【００３８】
上述したような一連の操作で、プルリング押上部３の一部が常に缶の蓋と接触した状態で缶開け器具１が図２における時計回りに回転するので、プルリング押上部３が缶の蓋と接触している部分（屈曲部５）が梃子の支点となり、従来の缶開け器具よりも小さな力で缶の蓋を開けることができる。また、図１及び図２に示すように、プルリング押上部３と弾性部４とが、連結している部分から互いに離れる形状に形成されていることで、弾性部４の弾性力が缶の蓋を開く方向へ付勢されるので、手の指によって加えられた力を支援する力が加わり、従来の缶開け器具よりも小さな力で缶の蓋を開けることが可能となる。
【００３９】
上述した実施例では、フルオープン型の缶の蓋を開ける操作について説明しているが、本発明の実施の形態１に係る缶開け器具１は、パーシャルオープン型の缶にも同様に使用することができる。パーシャルオープン型の缶のプルリングにプルリング挿入部２の先端部分を差し込み、プルリング押上部３の一部を缶の蓋と接触させた状態で、缶開け器具１を図２における時計回りにさらに回転させつつ手の指で持ち上げることにより、プルリング挿入部２のフック部２１によってプルリングが持ち上げられ、缶の蓋を開くことができる。このとき、プルリング押上部３の先端部分がプルリングに接触し、先端部分でプルリングを保持して押し上げることにより、プルリング挿入部２の先端部分とプルリング押上部３の先端部分の２箇所でプルリングを保持するため、プルリングが安定して保持され、従来の缶開け器具１よりも小さな力で、プルリングが容易に蓋に対して上方向に起こされる。
【００４０】
なお、本実施の形態１に係る缶開け器具１のプルリング押上部３は、湾曲形状を有していても良い。かかる構造とすることで、缶の蓋を開ける場合に、プルリング押上部３が缶の蓋に沿って滑らかに図２における時計回りに回転することができるとともに、梃子の支点を確実に確保することができるので、小さな力で缶の蓋を開けることができる。
【００４１】
図９は、本発明の実施の形態１に係る缶開け器具１のプルリング押上部３の先端部分の形状の例示図である。図９（ａ）は、本実施の形態１に係る缶開け器具１のプルリング押上部３の中途に屈曲部５が存在しない形状の例を示す断面図である。図９（ｂ）は、本実施の形態１に係る缶開け器具１のプルリング押上部３の中途に屈曲部５が存在する形状の例を示す断面図である。
【００４２】
本実施の形態１に係る缶開け装置１のプルリング押上部３は、屈曲部５が必須ではない。しかし、プルリング押上部３の中途に屈曲部５が存在することにより、缶の蓋を開ける場合に、プルリング押上部３が屈曲部５を支点として缶の蓋と接触することができ、梃子の原理により、手の指によって加えられた力以上の力を加えることができ、小さな力であっても缶の蓋を開けることができるようになる。
【００４３】
なお、プルリング押上部３の中途に屈曲部５が存在しない場合であっても、梃子のレバーＬ１の方がレバーＬ２よりも長くなるように湾曲の度合いを決定する必要がある。
【００４４】
屈曲部５は、プルリング押上部３によりプルリングが上に押し上げられた時点で、缶の蓋に接する位置にくるように形成されていることが好ましい。かかる構成により、缶開け器具１を缶の蓋の上で回転させる場合に、屈曲部５が缶の蓋の上に位置するように回転させることができる。したがって、缶の蓋を開ける場合に、プルリング押上部３が屈曲部５を支点として缶の蓋と接触することができるので、屈曲部５が確実に梃子の支点となり、手の指によって加えられた力以上の力を加えることができ、小さな力で缶の蓋を開けることができる。
【００４５】
なお、プルリングの長さと、プルリング押上部３の先端から屈曲部５までの長さの和が、設置されたプルリングの長手方向の長さよりも短いことが好ましい。かかる構成により、缶開け器具１を缶の蓋の上で回転させる場合に、屈曲部５が必ず、缶の蓋の上で接触する。したがって、缶の蓋を開ける場合に、プルリング押上部３が屈曲部５を支点として缶の蓋と接触するので、手の指によって加えられた力以上の力をプルリングに加えることができ、小さな力で缶の蓋を開けることができる。
【００４６】
（実施の形態２）
図１０は、本発明の実施の形態２にかかる缶開け器具１の断面図である。缶開け器具１は、一端に、プルリング挿入部２と、他端に、プルリング押上部３とを備える。プルリング押上部３の中途に屈曲部５が存在する。
【００４７】
実施の形態２に係る缶開け器具１では、押上部側部材２４ａと挿入部側部材２４ｂとが接続部２６で回転することが可能に接続されており、押上部側部材２４ａと挿入部側部材２４ｂとは、互いに引き寄せ合う方向に付勢する弾性部材２７で接続されている。接続部２６は、蝶番を用いることが好ましい。
【００４８】
なお、図１０の例では、弾性部材２７は、コイルバネを採用しているが、特に限定されるものではない。実施の形態１と同様の操作により、小さな力で缶の蓋を開けることができる。
【符号の説明】
【００４９】
１  缶開け器具
２  プルリング挿入部
３  プルリング押上部
４  弾性部
５  屈曲部
２４ａ  押上部側部材
２４ｂ  挿入部側部材
２６  接続部
２７  弾性部材
【図１】
2019031310.tif 000003
【図２】
2019031310.tif 000004
【図３】
2019031310.tif 000005
【図４】
2019031310.tif 000006
【図５】
2019031310.tif 000007
【図６】
2019031310.tif 000008
【図７】
2019031310.tif 000009
【図８】
2019031310.tif 000010
【図９】
2019031310.tif 000011
【図１０】
2019031310.tif 000012